(57)【要約】【課題】使い捨てとすることが可能な程度に価格を抑え、また、穂木の生育に応じて離脱して取外し作業を不要とする接ぎ木具を提供する。【解決手段】均一な厚さの管状の接ぎ木具本体１と、前記接ぎ木具本体１の側壁部１０に、該接ぎ木具本体１の延設方向両端間１１を結ぶように設置されたスリット１２とを有し、前記接ぎ木具本体１は、弾性を備えて前記スリット１２の間隙が拡縮し、前記延設方向両端部１１間を貫通する貫通孔に、台木に穂木を接いだ部位を挿通して前記穂木を固定したとき、前記穂木が所定の大きさに生育すると前記スリット１２が拡開して前記穂木を接いだ部位から離脱することを特徴とする。【選択図】図１
2017029045.tif 000002
【特許請求の範囲】
【請求項１】
均一な厚さの管状の接ぎ木具本体と、
前記接ぎ木具本体の側壁部に、該接ぎ木具本体の延設方向両端間を結ぶように設置されたスリットと、
を有し、
前記接ぎ木具本体は、
弾性を備えて前記スリットの間隙が拡縮し、
前記延設方向両端部間を貫通する貫通孔に、台木に穂木を接いだ部位を挿通して前記穂木を固定したとき、
前記穂木が所定の大きさに生育すると前記スリットが拡開して前記穂木を接いだ部位から離脱する、
ことを特徴とする接ぎ木具。
【請求項２】
前記接ぎ木具本体は、
前記管状の厚みが０．３ミリメートル、前記貫通孔の内径が１．８ミリメートルから２．２ミリメートル、あるいは、１．４ミリメートルから２．４ミリメートル、
前記側壁部に形成されたスリットの間隙が０．２ミリメートルから０．３ミリメートル、
前記管状の長さが１０ミリメートルから１５ミリメートル、
であることを特徴とする請求項１に記載の接ぎ木具。
【請求項３】
前記接ぎ木具本体は、
前記貫通孔の内径毎に異なる色彩に着色されている、
ことを特徴とする請求項１または請求項２に記載の接ぎ木具。
【発明の詳細な説明】
【技術分野】
【０００１】
この発明は、野菜、果樹、花木などの植物を繁殖させる接ぎ木において、接ぎ合わせ部分に使用する接ぎ木具に関するものである。
【背景技術】
【０００２】
例えば、キュウリ、トマト、ナスなどの野菜を繁殖させるとき、連作障害の発生を防ぐため、他の植物を台木として接ぎ木を行い、上記の野菜ならびに様々な花木の幼苗を生成している。
台木に切れ目等を入れ、この部分に穂木を差し込んだとき、この差し込み部分に適度な圧を加えて挟み込み、穂木を固定する接ぎ木具（接ぎ木クリップ）が使用されている（例えば、特許文献１参照）。
この接ぎ木クリップは、挟合支点片を有する左右一対のクリップ形成体と、両クリップ形成体を挟合させる方向に付勢するＣ字状バネ体によって構成されたもので、挟合支点片の前側に挟合片を備え、後側に操作片を備えている。
【先行技術文献】
【特許文献】
【０００３】
【特許文献１】特開２００４−１８０６２７号公報
【発明の概要】
【発明が解決しようとする課題】
【０００４】
従来の接ぎ木具は、上記のように構成されているので、穂木が生育して台木に活着した後も作業者によって取り外しが行われるまで穂木を固定し続けており、苗木出荷などの前に取り外し作業を行う必要がある。
また、バネ体などの構成部材を備えているため、単価を抑制することが難しく、野菜などの量産に用いることはコスト的に難しくなるという問題点があった。
【０００５】
本発明は、上記実情に鑑み提案され、使い捨てとすることが可能な程度に価格を抑え、また、穂木の生育に応じて離脱して取外し作業を不要とする接ぎ木具を提供することを目的とする。
【課題を解決するための手段】
【０００６】
本発明に係る接ぎ木具は、均一な厚さの管状の接ぎ木具本体と、前記接ぎ木具本体の側壁部に、該接ぎ木具本体の延設方向両端間を結ぶように設置されたスリットとを有し、前記接ぎ木具本体は、弾性を備えて前記スリットの間隙が拡縮し、前記延設方向両端部間を貫通する貫通孔に、台木に穂木を接いだ部位を挿通して前記穂木を固定したとき、前記穂木が所定の大きさに生育すると前記スリットが拡開して前記穂木を接いだ部位から離脱することを特徴とする。
【０００７】
また、前記接ぎ木具本体は、前記管状の厚みが０．３ミリメートル、前記貫通孔の内径が１．８ミリメートルから２．２ミリメートル、あるいは、１．４ミリメートルから２．４ミリメートル、前記側壁部に形成されたスリットの間隙が０．２ミリメートルから０．３ミリメートル、前記管状の長さが１０ミリメートルから１５ミリメートルであることを特徴とする。
【０００８】
また、前記接ぎ木具本体は、前記貫通孔の内径毎に異なる色彩に着色されていることを特徴とする。
【発明の効果】
【０００９】
本発明によれば、安価に製造することができ、また、植物の茎が所定の太さ以上に生育したときの接ぎ木具の取外し作業を省略することができる。
【図面の簡単な説明】
【００１０】
【図１】本発明の実施例による接ぎ木具の概略斜視図である。
【図２】図１の接ぎ木具の形状を示す説明図である。
【発明を実施するための形態】
【００１１】
以下、この発明の実施の一形態を説明する。
［実施例］
図１は、本発明の実施例による接ぎ木具の概略斜視図である。図示した接ぎ木具本体１は、例えば、プラスチック系の樹脂材料を用いて円筒状もしくは管状に形成したものである。
接ぎ木具本体１は、例えば射出成形によって適度な弾性を有する樹脂製チューブを形成し、これを所定長さに切断して量産製造したものである。この接ぎ木具本体１は、射出成形において均一な所定厚さに形成されている。
【００１２】
また、前述のように射出成形された接ぎ木具本体１の側壁部１０には、当該管状の延設方向に沿ってスリット１２が設けられている。
スリット１２は、管状の径方向において、接ぎ木具本体１の側壁部１０から内壁部１３へ達するように設けられている。また、スリット１２は、管状の延設方向において両端となる、上下２つの端部１１間に渡って間隙を形成している。
この間隙は当該接ぎ木具本体１が有する弾性によって拡縮し、２つの端部１１間を貫通する貫通孔の内側から圧力等が加わらないとき、例えば穂木を台木に接いで間もないときには、スリット１２が概ね閉じるように構成されている。
なお、この間隙を形成する接ぎ木具本体１の対向箇所には、穂木や台木を傷つけないようにするため、円め加工が施されている。
【００１３】
図２は、図１の接ぎ木具の形状を示す説明図である。図２（ａ）は、接ぎ木具本体１の管状断面形状を示し、図２（ｂ）は、接ぎ木具本体１を側方視したときの形状を示している。
接ぎ木具本体１は、例えば、真円状もしくは略真円状の管材に前述のスリット１２を形成させ、これを切断して製造したもので、管状の肉厚は均一に構成されている。
このような形状を前述のように射出形成することにより、上記管材を安価なコストで製造することができる。
また、この管材をどの部分で切断した場合でも一様な断面形状とすることを図ることができる。
換言すると、接ぎ木具本体１の延設長さをどのように定めた場合でも、同様な断面形状の接ぎ木具本体１を形成することが容易にでき、不具合を有する接ぎ木具本体１の製造を抑制することが可能になる。
【００１４】
ここで、側壁部１０と内壁部１３との間の管状肉厚をｅ、接ぎ木具本体１の両端部１１間を貫通する貫通孔の内径をｄとする。また、前述のように設けられているスリット１２の間隙（接ぎ木具本体１の周方向の間隙距離）をｓとする。また、接ぎ木具本体１の管状延設方向の長さ、換言すると側壁部１０の高さをｈとする。
【００１５】
接ぎ木具本体１は、例えば、前述のようにプラスチック系の材料を用いて形成する場合、貫通孔の内径ｄを１．８ミリメートルから２．２ミリメートル、あるいは、１．４ミリメートルから２．４ミリメートルとし、また、管状の厚みｅを０．３ミリメートルとして、接ぎ木を行う台木ならびに穂木の茎等の径に適応する大きさに形成されている。
接ぎ木具本体１に設けられるスリット１２は、上記のようにプラスチック系の材料を用いた場合、例えば間隙ｓが０．２ミリメートルから０．３ミリメートルとなるように形成されている。
また、上記の接ぎ木具本体１は、高さｈが１０ミリメートルから１５ミリメートル、例えば１３ミリメートルとなるように形成されており、ここで例示したように内径ｄ、厚みｅ、間隙ｓ等を設定して射出成形すると、完成した接ぎ木具本体１は適度な弾性を有するものとなる。
【００１６】
接ぎ木具本体１の内径ｄは、前述のように、苗木の種類、もしくは茎の硬さ等に対応させて設定することが好ましい。実際の苗木は、個体差が生じることから、同様な種類の苗木においても、例えば、１．８ミリメートルから２．２ミリメートルのいずれかのものを選択して使用する。あるいは、内径ｄが１．４ミリメートルから２．２ミリメートルのいずれかのものを選択使用してもよい。
【００１７】
ここで、上記の内径ｄを肉眼で判別することは、一般的には容易ではないため、各内径ごとに異なる色彩となるように接ぎ木具本体１を着色してもよい。
接ぎ木具本体１を接ぎ木部位に装着した（接ぎ木部位である茎を挿通した）後、接ぎ木部位の状態を視認できるように、当該接ぎ木具本体１を透明または半透明に構成したときには、例えばピンク、黄色、水色などの淡色系に着色する。
【００１８】
接ぎ木具本体１の弾性の強さならびに前述の貫通孔の径サイズを、苗木の種類に応じて、具体的には、茎の太さや硬さなどに応じて設定しておくと、苗木の茎部分等が上記の貫通孔の径よりも大きく生育したとき、この茎部分、即ち台木に穂木を接ぎ木した部位によって、接ぎ木具本体１が内壁部１３側から押し広げられ、スリット１２が拡開する。
【００１９】
上記のようにスリット１２が拡開すると、接ぎ木具本体１の内壁面１１３が苗木の茎周囲を囲うように接することができなくなり、接ぎ木具本体１は、茎の太さが大きくなる程、当該茎に固定されている状態が不安定になる。なお、若干スリット１２の拡開が生じた程度では、接ぎ木具本体１の内壁面１３と苗木の茎との密着が高まり、接ぎ木具本体１が苗木の茎を伝って下方へ移動することはない。
苗木の茎が任意の太さよりも太くなったとき、接ぎ木具本体１は、略半円状から本来の真円状へ戻るように弾力が周方向に作用し、大きく拡開したスリット１２から上記の茎がすり抜け、当該接ぎ木具本体１が苗木の接ぎ木部位から離脱する。
【００２０】
以上のように本実施例によれば、量産が容易に行えるため使い捨てが可能な価格とすることができる。
また、接ぎ木具本体１を透明または半透明に構成することにより、当該接ぎ木具本体１を装着した苗木の接ぎ木部位を視認することができる。
また、貫通孔の内径毎に接ぎ木具本体１を異なる色彩に着色することにより、苗木の差異に応じて適当な接ぎ木具本体１を簡便に装着することができ、接ぎ木による繁殖作業の効率を向上させることが可能になる。
【符号の説明】
【００２１】
１接ぎ木具本体
１０側壁部
１１端部
１２スリット
１３内壁部
【図１】
2017029045.tif 000003
【図２】
2017029045.tif 000004